(57)【特許請求の範囲】
【請求項１】
液晶表示パネル、レンチキュラーレンズ、およびバックライトの順で配置されてなる液晶表示装置であって、
前記液晶表示パネルは、一対の平行配置された基板を外囲器とし、該一対の基板間に液晶が介層され、該液晶を一構成要素としてマトリックス状に配置された画素が形成されてなり、
前記レンチキュラーレンズは、シート状部材の前記液晶表示パネル側の面に、ｘ方向に延在しｙ方向に並設される断面かまぼこ状の凸部を形成し、ｘ方向に延在する一つの凸部のｙ方向の幅を、前記画素の一画素のｙ方向の幅とほぼ等しく形成されてなり、
前記バックライトは、前記液晶表示パネルの背面に配置され該液晶表示パネルとほぼ同じ大きさの導光板と、該導光板の側壁面に配置された光源と、前記導光板と前記液晶表示パネルの間に、該導光板側から第一非対称プリズムシートと第二非対称プリズムシートとを順次配置させて構成してなり、
前記導光板は、前記光源と対向する側壁面である入光面と、前記液晶表示パネルと対向する面である出光面と、該出光面と反対側の面である反射面を備え、
前記導光板の入光面には、該導光板の厚さ方向に延在し、前記光源の並列方向に沿って並設され、円弧面に形成される凸面が設けられ、
前記導光板の反射面には、ｙ方向に延在されｘ方向に並設される凸部が形成されてなり、
前記凸部は、２つの斜面を有する断面が三角形状をなし、該凸部の２つの斜面のうち前記光源に対して遠い側の斜面が該光源からの光を前記出光面側に反射させる２°以下の傾斜を有する反射面として形成され、
前記第一非対称プリズムシートは、前記液晶表示パネル側の面において、断面が三角形の凸部がｘ方向に延在しｙ方向に並設されて複数形成されており、前記各凸部の三角形の前記光源と近い側の傾斜角を６０°に設定し、遠い側の傾斜角を５０°に設定してなり、
前記第二非対称プリズムシートは、前記液晶表示パネル側の面において、断面が三角形の凸部がｘ方向に延在しｙ方向に並設されて複数形成されており、前記各凸部の三角形の前記光源と近い側の傾斜角を７０°に設定し、遠い側の傾斜角を４２°に設定してなっている
ことを特徴とする液晶表示装置。
【請求項２】
液晶表示パネル、マイクロレンズ、およびバックライトの順で配置されてなる液晶表示装置であって、
前記液晶表示パネルは、一対の平行配置された基板を外囲器とし、該一対の基板間に液晶が介層され、該液晶を一構成要素としてマトリックス状に配置された画素が形成されてなり、
前記マイクロレンズは、シート状部材の前記液晶表示パネル側の面に、前記画素の各画素に対応してほぼ半球状の凸部を形成してなり、
前記バックライトは、前記液晶表示パネルの背面に配置され該液晶表示パネルとほぼ同じ大きさの導光板と、該導光板の側壁面に配置された光源と、前記導光板と前記液晶表示パネルの間に、該導光板側から第一非対称プリズムシートと第二非対称プリズムシートとを順次配置させて構成してなり、
前記導光板は、前記光源と対向する側壁面である入光面と、前記液晶表示パネルと対向する面である出光面と、該出光面と反対側の面である反射面を備え、
前記導光板の入光面には、該導光板の厚さ方向に延在し、前記光源の並列方向に沿って並設され、円弧面に形成される凸面が設けられ、
前記導光板の反射面には、ｙ方向に延在されｘ方向に並設される凸部が形成されてなり、
前記凸部は、２つの斜面を有する断面が三角形状をなし、該凸部の２つの斜面のうち前記光源に対して遠い側の斜面が該光源からの光を前記出光面側に反射させる２°以下の傾斜を有する反射面として形成され、
前記第一非対称プリズムシートは、前記液晶表示パネル側の面において、断面が三角形の凸部がｘ方向に延在しｙ方向に並設されて複数形成されており、前記各凸部の三角形の前記光源と近い側の傾斜角を６０°に設定し、遠い側の傾斜角を５０°に設定してなり、
前記第二非対称プリズムシートは、前記液晶表示パネル側の面において、断面が三角形の凸部がｘ方向に延在しｙ方向に並設されて複数形成されており、前記各凸部の三角形の前記光源と近い側の傾斜角を７０°に設定し、遠い側の傾斜角を４２°に設定してなっている
ことを特徴とする液晶表示装置。
【請求項３】
前記導光板の液晶表示パネルと反対側の面に形成された前記反射面は１°の傾斜を有することを特徴とする請求項１又は２に記載の液晶表示装置。
【発明の詳細な説明】
【技術分野】
【０００１】
本発明は液晶表示装置に係り、特に、液晶表示パネルの背面に導光板を有するバックライトを備えた液晶表示装置に関する。
【背景技術】
【０００２】
液晶表示パネルはその各画素において液晶の透光率を制御する構成からなるため、該液晶表示パネルの背面にバックライトを備えるのが通常となっている。
【０００３】
そして、該バックライトとして、前記液晶表示パネルとほぼ平行に配置される導光板と、この導光板の側壁面の少なくとも一つに対向して配置されるたとえば発光ダイオード等の光源を備えたものが知られている。
【０００４】
そして、このように構成された液晶表示装置において、液晶表示パネルからの光を観察者側に指向させ、該液晶表示パネルの画像表示の高輝度化を向上させることが要望される場合がある。
【０００５】
たとえば、このような液晶表示装置をたとえば携帯電話の表示装置として使用する場合、その表示のプライバシー保護の観点からも液晶表示パネルからの光の集光性を向上させることが好ましくなる。
【０００６】
このため、バックライトと液晶表示パネルの間に、該液晶表示パネルの各画素に対応づけてレンズを形成したマイクロレンズを配置させた構成のものが知られている。該マイクロレズによってバックライトからの光を集光させ、この集光された光を液晶表示パネルに入射させるようにしたものである。
【０００７】
このような構成の液晶表示装置はたとえば下記特許文献１および特許文献２等に開示がなされている。
【０００８】
また、屋外での視認性向上を図るため、従来一般的に適用されている透過型液晶から半透過型液晶へ変更することも提案されているが、半透過型液晶とすることによる透過時の輝度低下を補うための光輝度化が必須である。
【０００９】
さらに、テレビの映像を携帯電話等の携帯端末で受像することが増加しており、長時間の視聴を行うためには、低消費電力化が必須である。
【特許文献１】特開２００５−２７５１４２号公報
【特許文献２】特開２００５−６２７４１号公報
【発明の開示】
【発明が解決しようとする課題】
【００１０】
しかし、このように構成された液晶表示装置において、さらに、バックライトからの光を観察者側に指向させ、液晶表示パネルの画像表示の高輝度化を向上させることが要望されている。高輝度の画像表示を低消費電力にも拘わらず達成し得るからである。
【００１１】
本発明の目的は、バックライトからの光の集光性を大幅に向上させた液晶表示装置を提供することにある。
【課題を解決するための手段】
【００１２】
本願において開示される発明のうち、代表的なものの概要を簡単に説明すれば、以下のとおりである。
【００１３】
（１）本発明による液晶表示装置は、たとえば、液晶表示パネル、レンチキュラーレンズ、およびバックライトの順で配置されてなる液晶表示装置であって、
前記液晶表示パネルは、一対の平行配置された基板を外囲器とし、該一対の基板間に液晶が介層され、該液晶を一構成要素としてマトリックス状に配置された画素が形成されてなり、
前記レンチキュラーレンズは、シート状部材の前記液晶表示パネル側の面に、ｘ方向に延在しｙ方向に並設される断面かまぼこ状の凸部を形成し、ｘ方向に延在する一つの凸部のｙ方向の幅を、前記画素の一画素のｙ方向の幅とほぼ等しく形成されてなり、
前記バックライトは、前記液晶表示パネルの背面に配置され該液晶表示パネルとほぼ同じ大きさの導光板と、該導光板の側壁面に配置された光源と、前記導光板と前記液晶表示パネルの間に、該導光板側から第一非対称プリズムシートと第二非対称プリズムシートとを順次配置させて構成してなり、
前記導光板は、前記光源と対向する側壁面である入光面と、前記液晶表示パネルと対向する面である出光面と、該出光面と反対側の面である反射面を備え、
前記導光板の入光面には、該導光板の厚さ方向に延在し、前記光源の並列方向に沿って並設され、円弧面に形成される凸面が設けられ、
前記導光板の反射面には、ｙ方向に延在されｘ方向に並設される凸部が形成されてなり、
前記凸部は、２つの斜面を有する断面が三角形状をなし、該凸部の２つの斜面のうち前記光源に対して遠い側の斜面が該光源からの光を前記出光面側に反射させる２°以下の傾斜を有する反射面として形成され、
前記第一非対称プリズムシートは、前記液晶表示パネル側の面において、断面が三角形の凸部がｘ方向に延在しｙ方向に並設されて複数形成されており、前記各凸部の三角形の前記光源と近い側の傾斜角を６０°に設定し、遠い側の傾斜角を５０°に設定してなり、
前記第二非対称プリズムシートは、前記液晶表示パネル側の面において、断面が三角形の凸部がｘ方向に延在しｙ方向に並設されて複数形成されており、前記各凸部の三角形の前記光源と近い側の傾斜角を７０°に設定し、遠い側の傾斜角を４２°に設定してなっていることを特徴とする。
【００１４】
（２）本発明による液晶表示装置は、たとえば、液晶表示パネル、マイクロレンズ、およびバックライトの順で配置されてなる液晶表示装置であって、
前記液晶表示パネルは、一対の平行配置された基板を外囲器とし、該一対の基板間に液晶が介層され、該液晶を一構成要素としてマトリックス状に配置された画素が形成されてなり、
前記マイクロレンズは、シート状部材の前記液晶表示パネル側の面に、前記画素の各画素に対応してほぼ半球状の凸部を形成してなり、
前記バックライトは、前記液晶表示パネルの背面に配置され該液晶表示パネルとほぼ同じ大きさの導光板と、該導光板の側壁面に配置された光源と、前記導光板と前記液晶表示パネルの間に、該導光板側から第一非対称プリズムシートと第二非対称プリズムシートとを順次配置させて構成してなり、
前記導光板は、前記光源と対向する側壁面である入光面と、前記液晶表示パネルと対向する面である出光面と、該出光面と反対側の面である反射面を備え、
前記導光板の入光面には、該導光板の厚さ方向に延在し、前記光源の並列方向に沿って並設され、円弧面に形成される凸面が設けられ、
前記導光板の反射面には、ｙ方向に延在されｘ方向に並設される凸部が形成されてなり、
前記凸部は、２つの斜面を有する断面が三角形状をなし、該凸部の２つの斜面のうち前記光源に対して遠い側の斜面が該光源からの光を前記出光面側に反射させる２°以下の傾斜を有する反射面として形成され、
前記第一非対称プリズムシートは、前記液晶表示パネル側の面において、断面が三角形の凸部がｘ方向に延在しｙ方向に並設されて複数形成されており、前記各凸部の三角形の前記光源と近い側の傾斜角を６０°に設定し、遠い側の傾斜角を５０°に設定してなり、
前記第二非対称プリズムシートは、前記液晶表示パネル側の面において、断面が三角形の凸部がｘ方向に延在しｙ方向に並設されて複数形成されており、前記各凸部の三角形の前記光源と近い側の傾斜角を７０°に設定し、遠い側の傾斜角を４２°に設定してなっていることを特徴とする。
【００１５】
（３）本発明による液晶表示装置は、たとえば、（１）又は（２）の構成を前提とし、前記導光板の液晶表示パネルと反対側の面に形成された前記反射面は１°の傾斜を有することを特徴とする。
【００１９】
なお、本発明は以上の構成に限定されず、本発明の技術思想を逸脱しない範囲で種々の変更が可能である。
【発明の効果】
【００２０】
このように構成された液晶表示装置は、バックライトからの光の集光性を大幅に向上させることができる。
【発明を実施するための最良の形態】
【００２１】
以下、本発明による液晶表示装置の実施例を図面を用いて説明をする。
【００２２】
図２は、本発明による液晶表示装置の一実施例を示す平面分解図である。また、図１は、図２のI−I線に相当する箇所の断面を示した図である。
【００２３】
該液晶表示装置は、観察者側から、液晶表示パネルＰＮＬ、レンチキュラーレンズＬＣＬ、およびバックライトＢＬの順で配置されている。これら液晶表示パネルＰＮＬ、レンチキュラーレンズＬＣＬ、およびバックライトＢＬは、複数の図示しないフレームによってモジュール化されて構成されるが、この図１、２においては該フレームの図示は省略している。
【００２４】
液晶表示パネルＰＮＬは、一対の平行配置されたたとえばガラスからなる基板ＳＵＢ１、ＳＵＢ２を外囲器とし、これら各基板ＳＵＢ１、ＳＵＢ２の間に液晶が介層されて構成されている。
【００２５】
図１に示すように、各基板ＳＵＢ１、ＳＵＢ２は、その周辺においてシール材ＳＬが配置され、前記液晶ＬＣは該基板ＳＵＢ１、ＳＵＢ２の間において前記シール材ＳＬによって封止されている。
【００２６】
前記基板ＳＵＢ、１ＳＵＢ２の液晶側の面には、マトリックス状に配置された画素ＰＸが前記液晶ＬＣを一構成要素として形成され、これら各画素ＰＸ毎に当該液晶ＬＣの光透過率を制御できるようになっている。
【００２７】
図３に示すように、前記画素ＰＸは、たとえば基板ＳＵＢ１の液晶ＬＣ側の面に形成されたブラックマトリックスＢＭの開口部において形成され、該画素ＰＸには後述のバックライトＢＬからの光が透過できるようになっている。図３においては各画素における具体的な構成は省略している。
【００２８】
そして、これら各画素ＰＸが形成された領域を液晶表示領域ＡＲ（図中一点鎖線枠で囲まれた領域）とし、後述のバックライトＢＬからの光を少なくとも該液晶表示領域ＡＲの全域にわたって照射し、各画素ＰＸを透過する光を通して観察者は映像を認識するようになっている。
【００２９】
レンチキュラーレンズＬＣＬは、シート状部材の液晶表示パネルＰＮＬ側の面に、図中ｘ方向に延在しｙ方向に並設される断面かまぼこ状の凸部ＰＪ１が形成されて構成されている。該凸部ＰＪ１の曲率半径はたとえば１６４μｍとなっている。
【００３０】
ここで、図中ｘ方向に延在する一つの凸部ＰＪ１の図中ｙ方向の幅（たとえば１４８μｍ）は、たとえば、一画素の図中ｙ方向の幅とほぼ等しくなっており、また、隣接する他の凸部ＰＪ１とのピッチはたとえば１５３μｍとなっている。後述のバックライトＢＬから各画素ＰＸに透過する光を各画素ＰＸ毎に集光させるようにするためである。
【００３１】
このことから、該レンチキュラーレンズＬＣＬの代わりに、たとえば、シート状部材の液晶表示パネルＰＮＬ側の面に、各画素に対応してほぼ半球状の凸部を形成して構成されるいわゆるマイクロレンズアレイを用いるようにしても同様の効果を奏することができる。
【００３２】
バックライトＢＬは、前記液晶表示パネルＰＮＬとほぼ同じ大きさのたとえば樹脂材からなる導光板ＣＬＢと、この導光板ＣＬＢの少なくとも一辺における側壁面に対向し該辺に沿って並設された複数の発光ダイオードからなる光源ＬＳとから構成されている。
【００３３】
そして、この実施例のバックライトＢＬは、前記導光板ＣＬＢおよび光源ＬＳの他に、前記導光板ＬＳと液晶表示パネルＰＮＬの間に、該導光板ＣＬＢ側から、非対称プリズムシート（第一非対称プリズムシート）ＰＳ１、非対称プリズムシート（第二非対称プリズムシート）ＰＳ２を順次配置させたものとして把握される。
【００３４】
また、この実施例では、導光板ＣＬＢの背面に反射シートＲＳを備えるようになっている。導光板ＣＬＢの該反射シートＲＳと対向する面（反射面）から漏れる光を該導光板ＣＬＢ側へ戻すためである。
【００３５】
このように構成したバックライトＢＬは、液晶表示パネルＰＮＬ側への出射光に大幅な集光性をもたせるものとして構成されるからである。
【００３６】
つぎに、前記導光板ＣＬＢ、非対称プリズムシートＰＳ２、非対称プリズムシートＰＳ１の各構成について詳述する。
【００３７】
図３（ａ）は、前記導光板ＣＬＢの一実施例を示した断面図である。この断面図は図２のI−I線における断面に相当する図である。
【００３８】
該導光板ＣＬＢは、並設されて配置される各光源ＬＳと対向する側壁面を入光面ＩＦ、前記液晶表示パネルＰＮＬと対向する面を出光面ＯＦ、この出光面と反対側の面を反射面ＲＦとして構成されている。
【００３９】
該導光板ＣＬＢの入光面ＩＦは、前記出光面ＯＦ側から観た平面図である図４に示すように、円弧面を有する凸面ＰＲ１が前記導光板ＣＬＢの厚さ方向（図中ｚ方向）に延在して形成されているとともに、前記光源ＬＳの並列方向に沿って並設されて形成されている。
【００４０】
前記凸面ＰＲ１は、その円弧径Ｒがたとえば０．０２０ｍｍとなっており、該凸面ＰＲ１の形成により突出した幅Ｗはたとえば０．００２７ｍｍとなっている。
【００４１】
導光板ＣＬＢの入光面ＩＦに、このように並設された凸面ＰＲ１が形成されているのは、前記光源ＬＳからの光を導光板ＣＬＢ内において放射するようにして進行させるためである。このため、前記凸面ＰＲ１の形状は上述したような縦型かまぼこ型（レンチキュラー）に限定されることはなく、縦型Ｖ字型であってもよい。
【００４２】
そして、図３（ａ）に示すように、導光板ＣＬＢの反射面には、図中ｙ方向に延在されｘ方向（図中紙面表裏方向）に並設される凸部ＰＪ２が形成されている。
【００４３】
この凸部ＰＲ２は、断面が三角形状をなし、それら斜面のうち前記光源ＬＳに対して遠い側の斜面は、前記光源ＬＳからの光を出光面ＯＦ側に反射させる反射面ＲＦとして機能するようになっている。
【００４４】
ここで、前記凸部ＰＪ２の各斜面のうち、前記光源ＬＳに対して遠い側の斜面の前記出光面ＯＦに対する角度θｆはたとえば１°に、前記光源ＬＳに対して近い側の斜面の前記出光面ＯＦに対する角度θｃはたとえば７９°に設定されている。
【００４５】
これにより、導光板ＣＬＢの出光面ＯＦから出射される光は、後に図６に示す特性から明らかとなるように、視野角が約７５°において大幅なピークを有する輝度をともなうことが明らかとなる。
【００４６】
このことから、前記凸部ＰＪ２の前記光源ＬＳに対して遠い側の斜面の前記出光面ＯＦに対する角度θｆは、必ずしも１°に設定することはなく、２°以下の範囲とするようにしてもよい。該角度θｆを２°以上とした場合、出光面ＯＦから照射される光に充分な輝度が得られないからである。
【００４７】
なお、前記各凸部ＰＲ２のピッチはたとえば０．１４１ｍｍとなっている。
【００４８】
また、導光板ＣＬＢの出光面には、図３（ｂ）に示すように、前記凸部ＰＪ２と直交するようにして、すなわち、図中ｙ方向（図中紙面表裏方向）に延在されｘ方向に並設されるかまぼこ状の凸部ＰＪ３が形成されている。
【００４９】
この凸部ＰＪ３は、該出光面ＯＦから出射する光を液晶表示パネルＰＮＬ側へ集光させるために形成されるものである。このため、該凸部ＰＪ３は必ずしもかまぼこ状に限定されることはなく、たとえばＶ字型としても同様の効果を奏することができる。
【００５０】
ここで、前記各凸部ＰＪ３のピッチはたとえば０．０３３６ｍｍとなっており、該凸部ＰＪ３の形成によって突出する高さｈ３はたとえば０．００７１ｍｍとなっている。
【００５１】
図５（ａ）は、前記非対称プリズムシート（第二非対称プリズムシート）ＰＳ２の構成を示した断面図である。この断面図は図２のI−I線における断面に相当する図である。
【００５２】
図５（ａ）において、前記非対称プリズムシートＰＳ２は、その液晶表示パネルＰＮＬ側の面において、断面が三角形の凸部ＰＪ４がｘ方向（図中紙面表裏方向）に延在しｙ方向に並設されて形成されている。
【００５３】
該非対称プリズムシートＰＳ２は、その名が示すように、各凸部ＰＪ４の三角形の前記光源ＬＳと近い側の傾斜角θｃがたとえば７０°に設定され、遠い側の傾斜角θｆが４２°に設定されている。
【００５４】
そして、隣接する各凸部のピッチＰ２はたとえば０．０３３ｍｍに設定されている。
【００５５】
図５（ｂ）は、前記非対称プリズムシート（第一非対称プリズムシート）ＰＳ１の構成を示した断面図である。この断面図は図２のI−I線における断面に相当する図である。
【００５６】
図５（ｂ）において、前記非対称プリズムシートＰＳ１は、その液晶表示パネルＰＮＬ側の面において、断面が三角形の凸部がｘ方向（図中紙面表裏方向）に延在しｙ方向に並設されて形成されている。
【００５７】
該非対称プリズムシートＰＳ１は、各凸部ＰＪ５の三角形の前記光源ＬＳと近い側の傾斜角θｃがたとえば６０°に設定され、遠い側の傾斜角θｆが５０°に設定されている。
【００５８】
そして、隣接する各凸部のピッチＰ１はたとえば０．１００ｍｍに設定されている。
【００５９】
また、前記非対称プリズムシートＰＳ１の凸部ＰＪ５の前記光源ＬＳ側の斜面の角度θｃは、上述したように、前記非対称プリズムシートＰＳ２の凸部ＰＪ４の前記光源ＬＳ側の傾斜の角度θｃよりも小さく設定されている。。
【００６０】
図６は、前記導光板ＣＬＢの反射面ＲＦにおいて前記反射面角度を１°とした場合の光出射特性を図中実線で示したグラフである。ちなみに、比較のため、前記反射面角度を１０°〜１５°とした従来の場合の光出射特性を図中点線で示している。
【００６１】
図６に示すグラフにおいて、その横軸は前記導光板ＣＬＢの出射面の法線に対する視角（°）を示し、縦軸は輝度（％）を示している。
【００６２】
該グラフから明らかとなるように、視角が約７５°の部分で輝度が大幅なピークを有する特性を示し、集光性に優れた導光板が得られることが判る。
【００６３】
また、図７は、前記導光板ＣＬＢにおいて、その出射面側に前記非対称プリズムシートＰＳ１、ＰＳ２を配置させた場合の光出射特性を示したグラフである。
【００６４】
図６の場合と同様に、横軸は前記導光板の出射面の法線に対する視角（°）を示し、縦軸は輝度（％）を示している。
【００６５】
該グラフにおいて、前記非対称プリズムシートＰＳ１、ＰＳ２のうち、まず下側の非対称プリズムシートＰＳ１を配置させた場合の出射特性を図中線分の比較的長い点線で示し、さらに上側の非対称プリズムシートＰＳ２を配置させた場合の出射特性を図中実線で示している。
【００６６】
同グラフから明らかになるように、正面方向に対し約７５°に寝た光を、前記非対称プリズムシートＰＳ１を配置させることにより、約３０°まで起こすことができ、さらに、前記非対称プリズムシートＰＳ２を配置させることにより、ほぼ正面方向に持ってくることができることが判明する。
【００６７】
これにより、導光板ＣＬＢの正面方向（視角が約０°）において輝度が大幅なピークを有する特性が得られ、該正面方向に優れた集光性が得れるようになる。
【００６８】
なお、図７においても、導光板ＣＬＢの前記反射面角度を１０°〜１５°とした従来の場合の光出射特性を図中点線で示しており、前記非対称プリズムシートＰＳ１、ＰＳ２の配置によって、輝度のピークが正面方向に移動していることが判る。
【００６９】
上述した各実施例はそれぞれ単独に、あるいは組み合わせて用いても良い。それぞれの実施例での効果を単独であるいは相乗して奏することができるからである。
【図面の簡単な説明】
【００７０】
【図１】本発明による液晶表示装置の一実施例を示す断面図で、図２のI−I線に相当する箇所の断面を示す図である。
【図２】本発明による液晶表示装置の一実施例を示す分解平面図である。
【図３】本発明による液晶表示装置のバックライトの導光板の一実施例を示す構成図である。
【図４】本発明による液晶表示装置の導光板であって、光源と対向する側壁面の構成の一実施例を示す平面図である。
【図５】本発明による液晶表示装置に備えられる非対称プリズムシートの実施例を示す側面図である。
【図６】本発明による液晶表示装置の効果を示すグラフである。
【図７】本発明による液晶表示装置の効果を示すグラフである。
【符号の説明】
【００７１】
ＰＮＬ……液晶表示パネル、ＰＸ……画素、ＡＲ……液晶表示領域、ＳＵＢ……基板、ＢＭ……ブラックマトリックス、ＬＣ……液晶、ＬＣＬ……レンチキュラーレンズ、ＰＪ……凸部、ＰＳ……非対称プリズムシート、ＣＬＢ……導光板、ＬＳ……光源、ＲＳ……反射シート、ＰＲ……凸面。
【図１】
0005011009.tif 000002
【図２】
0005011009.tif 000003
【図３】
0005011009.tif 000004
【図４】
0005011009.tif 000005
【図５】
0005011009.tif 000006
【図６】
0005011009.tif 000007
【図７】
0005011009.tif 000008